(57)【特許請求の範囲】
【請求項１】
第１パネルの第１開口を介して第１パネルにスナップ嵌め係合する外側に偏向可能な、弾性かかり部を設けた本体部分を有する折り畳み板金打ち抜きで加工された一体的保持具であり、
横方向の拡がりが可能な弾性脚部をこの保持具に備え、この弾性脚部が前記第１パネルと第２パネルとを対面して取り付け及び取り外し可能にするために、前記第２パネルを貫通する開口部の背面側の係合を行うための前記横方向の拡がりであり、
前記保持具の本体部分に回転可能に固着するために、前記第１及び第２パネルの分離を完全に組み立てる締め具に、所定の係合位置と所定の非係合位置との間において手動で回すことができるピンを備え、
前記脚部に設けたフォローワーを動作させるカム手段を有する前記ピンであり、前記ピンが前記係合位置である前記拡がり状態まで前記脚部を選択的に移動させて、前記ピンで前記係合位置に定めて且つそこで前記ピンを固定位置として保持し、前記カム手段の対向ローブを掴む戻り止め部分が前記フォローワーの前記係合位置になることを特徴とするパネル締め具。
【請求項２】
第１開口を貫通形成した第１パネル、
第２開口を貫通形成した第２パネルであって、これら開口を位置合わせした状態で第１パネルと対面関係で設ける第２パネル、および
前記第１パネルの背部と締り嵌めすることによって第１開口を介して第１パネルにスナップ嵌め係合する外側に偏向可能な、弾性かかり部を有する本体部分を有する一体的保持具を備え、
この保持具がさらに一対の横方向に対向する、外側に偏向可能な弾性脚部であって、主壁から上向きに折り返された脚部を有し、該主壁が前記本体部分から下向きに突出し、前記脚部の上面縁が前記第１パネルを前記第２パネルに固着するために第２パネルの背部に弾性係合することを特徴とするパネル締め具装置。
【請求項３】
さらに、前記本体部分に回転可能に取り付けられ、かつ前記脚部の間において前記本体部分から下向きに突出するエキスパンダーであって、回転して、前記第２パネルに係合する所定の位置まで前記脚部を外側に押し出すエキスパンダーを備えた請求項２に記載のパネル締め具装置。
【請求項４】
前記エキスパンダーが、前記主壁の内向き面部分と係合できるローブを有するカムを備え、前記エキスパンダーが回転して、前記脚部の係合位置および非係合位置を選択する請求項３に記載のパネル締め具装置。
【請求項５】
前記エキスパンダーがピンであって、このピンがピンを回す手動ノブを一端に有し、さらに該ノブから下向きに突出する胴部および該胴部の対向端部に取り付けられた一対の横方向に突出するカムローブを有する請求項４に記載のパネル締め具装置。
【請求項６】
前記の主壁それぞれが、前記ピンが前記係合位置に回されたときにカムローブの先端部分を掴み、いずれの方向にも自由に回転できないように前記ピンを保持する内向きのフォローワーを備えた請求項５に記載のパネル締め具装置。
【請求項７】
前記脚部の側部それぞれが、前記エキスパンダーの前記ノブが係合位置まで回ったときに、前記第２パネルの背部に当接する上向き縁部まで延長する請求項６に記載のパネル締め具装置。
【請求項８】
前記本体部分の形状が正方形で、各角部が前記第１開口および第２開口の内部寸法に近い寸法をもち、前記本体部分がさらに前記本体部分の各角部から下向きに突出する案内指部を備えた請求項７に記載のパネル締め具装置。
【請求項９】
前記脚部それぞれが、長手方向に弾性を与える湾曲部を備え、これによって、前記脚部が係合位置にあるときに、上向きのバイアス作用力を前記第２パネルの背部に加える請求項８に記載のパネル締め具装置。
【請求項１０】
前記第１パネルが、前記第１開口の中心に向かって内向きに突出する一対の対向タブを備え、これらタブが、前記保持具の前記第１開口への挿入後に、前記かかり部に係合し前記第１パネルから前記保持具の取り外しを防ぐ請求項２に記載のパネル締め具装置。
【請求項１１】
前記保持具が一体的な折り畳み打ち抜き加工板金からなる請求項９に記載のパネル締め具装置。
【請求項１２】
前記ピンがさらに前記ノブの直下に位置するヘッド部分および前記ヘッド部分の直下に位置するクリンチ取り付け作用部を備え、該クリンチ作用部が前記ピンを前記保持具の本体部分に回転可能にプレス嵌めする請求項１１に記載のパネル締め具装置。  
【請求項１３】
前記ピンがさらに前記クリンチ作用部の直下に位置するフランジを備え、該フランジの直径が、前記保持具の本体部分に形成され、前記ピンの突出部が通る受け取り開口の内径に密接に対応する請求項１２に記載のパネル締め具装置。
【請求項１４】
前記ピンを９０°回転させることによって前記ピンの前記係合位置と前記非係合位置を分離する請求項１３に記載のパネル締め具装置。
【請求項１５】
フォローワーそれぞれが前記カムの対向ローブを掴む戻り止め部分を有する請求項５に記載のパネル締め具装置。
【請求項１６】
エキスパンダーが一対の半径方向に対向するローブを備えたカムを有する請求項１０に記載のパネル締め具装置。
【請求項１７】
前記エキスパンダーがピンであって、このピンがピンを回す手動ノブを一端に有し、さらに前記ノブから下向きに突出する胴部およびこの胴部の対向端部に取り付けられた一対の横方向に突出するカムローブを有する請求項１６に記載のパネル締め具装置。
【発明の詳細な説明】
【関連出願】
【０００１】
本出願は、２００９年７月２４日に出願され、“速作業性パネル締め具”を発明の名称とする仮特許出願第６１/２２８、３１４号に関連する出願で、その優先権を主張する出願である。
【技術分野】
【０００２】
本発明は、本体部材および手動回転スピンドルを備えた解除式パネル締め具に関する。これを使用するさいには、取り付けられた第１平面パネルから本体部材を延長し、第２パネルの開口に解除可能に係合して、２枚のパネルを解除可能に相互接続する。
【背景技術】
【０００３】
速作業性パネル締め具を２枚のパネルの位置の合った開口に挿入し、この締め具の構成要素の一つを回すことによって２枚のパネルを対面関係で解除可能に接合する速作業性パネルには実例がある。これら締め具は“１/４回転式パネル締め具”とも呼ばれている。まず、上部パネルを締め具の保持具部分に一応永久的に取り付ける。次に、指の圧力か工具を用いてアクチュエーターを回し、下にある第２パネルを上部パネルの背部に固定する。このような締め具の実例は、ＵＳＰ３，４０６，４３１（発明者：Ａｒｍｓｔｒｏｎｇ  ｅｔ  ａｌ．）およびＵＳＰ６，９５５，５１５（発明者：Ｂａｒｉｎａ  ｅｔ  ａｌ．）に開示されている。上記のパネル接合機能を与える市販のパーツは、ＤＩＲＡＫ  ＧＭＢＨ  ａｎｄ  Ｃｏ．から販売されているＤ−ＳｎａｐＴＭキャプティブスナップ接合締め具である。コストを低く抑えた状態で高性能を実現する試みにおいて、打ち抜き加工した金属パーツを使用することが、例えば、ＵＳＰ７，０８６，１２５（発明者：Ｓｌｏｂｏｄｅｃｋｉ  ｅｔ  ａｌ．）およびＵＳＰ７，１８８，３９２（発明者：Ｇｉｕｇｕｌｉａｎｏ）に開示されている。ところが、知見の限りでは、これら技術を１/４回転式パネル締め具に応用しても良好な結果は得られていない。
【先行技術文献】
【特許文献】
【０００４】
【特許文献１】ＵＳＰ３，４０６，４３１
【特許文献２】ＵＳＰ６，９５５，５１５
【特許文献３】ＵＳＰ７，０８６，１２５
【特許文献４】ＵＳＰ７，１８８，３９２
【０００５】
これら従来の技術はいずれも速作業式パネル締め具、あるいは１/４回転式パネル締め具であるが、各パーツの製造コストがきわめて高い。一体的な板金打ち抜き加工によって製作した保持具を備えた速作業性パネル締め具は知られていない。このため、２枚のパネルを対面関係で効果的かつ固定的に接合する速作業性パネル締め具であって、作業効果がよく、経済的に製作でき、かつ使用が簡単な速作業性パネル締め具が求められている。
【発明の概要】
【発明が解決しようとする課題】
【０００６】
このような需要を満足するのが本発明であり、本発明は２つの別々に形成された相互作用パーツ、即ちパネル保持具およびアクチュエーターピンからなるパネル締め具を提供するものである。この保持具は、逐次的な打ち抜き加工技術を利用して、板金から打ち抜く。保持具とピンが相互作用して、締め具を形成する。この締め具の場合、第１パネルに半永久的にスナップ嵌合し、次に第２パネルに締め付けられるが、第２パネルから選択的に取り外すことができる。具体的には、保持具が第１パネルの所定形状の開口にスナップ嵌合した状態で、ピンを回転させるノブを戻り止め自己ロック作用位置に回すことによって、第２パネルへの取り付けまたは取り外しが可能になる。ヘッドについては、手動および／または工具動作が可能な形状に構成できる。本発明締め具は、逐次的な打ち抜き加工により加工した保持具と冷間鍛造ノブおよびピンを利用しているためコストが非常に低い。
【課題を解決するための手段】
【０００７】
より具体的には、本発明は、中心に回転アクチュエーターピンをもつ一体打ち抜き加工板金保持具からなるパネル締め具を提供するものである。この保持具の本体部分は、外側に偏向可能な弾性かかり部（ｂａｒｂｓ）を備え、これらかかり部が、挿入時にかかり部に係合する偏向作用タブを有する正方形開口を介して第１パネルに緩くスナップ嵌合する。保持具の弾性脚部が横方向に膨張して、第１パネルに対面関係で固定される第２パネルの正方形開口の背面に係合する。ピンが、回転して保持具の本体部分に固定されるが、このピンは、所定の係合位置と所定の非係合位置との間において手動回転できる。ピンはその一端にカムを備え、このカムが脚部のフォローワーと共に作用して、ピンが係合位置にある膨張状態への脚部の移動を選択的に行う。保持具の脚部は、膨張状態では、第２パネルの背部に弾性締め付け荷重をかける。膨張性保持具の操作性を高くするために、この保持具は両側にフォーク状のカムフォローワーを備え、これらカムフォローワーが、ピンが係合位置にあるときに、カムの対向ローブ（ｌｏｂｅ）を掴み、これによってピンを固定位置に保持する。
【０００８】
上記締め具の場合、２枚のパネルを接合保持するために使用するのが好ましい。このパネル接合体は、第１開口を形成した第１パネルおよび第２開口を形成した第２パネルからなり、これらの開口を位置合わせした状態で、第１パネルおよび第２パネルを対面で接置するものである。第１パネルは一対の対向タブを備え、これらタブが第１開口の中心に向かって内側に突出し、保持具が第１開口に挿入されると、かかり部に係合する。保持具の脚部は、主壁から上向きに折り曲げておくことが好ましい。本体部分および脚部から下向きに突出した壁部は、第２開口を通って、エキスパンダーが係合位置に回ったときに、第２パネルの背部に係合する。各脚部の後部にある上向け縁部が、第２パネルの背部に当接する。各脚部は、長手方向に脚部に弾性を与える湾曲部を備えているため、これら脚部が係合位置にあるときに、上向きのバイアス作用力を第２パネルの背部に加える。
【０００９】
なお、後で本発明の少なくとも一つの実施態様を詳しく説明するが、本発明を適用するさいには、以下に説明し、かつ添付図面に示す構成成分の構成・配置の細部に制限されない。本発明は、他の実施態様でも実施可能であり、各種の方法で実施可能である。また、本開示で使用する術語、用語などは、説明を目的とするもので、制限を意図するものではない。
【００１０】
当業者ならば、本発明の考えかたは他の構造体、方法、および本発明のいくつかの課題を実現するシステムを設計するさいの基礎として応用できるはずである。従って、重要なことは、本発明の精神および範囲から逸脱しない限り、特許請求の範囲はこのような等価な構成を含むものであることを理解することである。
【図面の簡単な説明】
【００１１】
【図１】本発明締め具の組み立て状態を示す下方左側面斜視図である。
【図２】本発明締め具の組み立て状態を示す一部横断面を含む正面図である。
【図３】第１パネルに緩く取り付けた本発明締め具の下方左側面等角図である。
【図４】係合位置およびロック位置において両パネルに挿入した本発明締め具を示す下方左側面等角図である。
【発明を実施するための形態】
【００１２】
図１および図２について説明する。本発明締め具は２つの構成成分、即ちアクチュエーターピン１１および保持具１３からなる。ピン１１の端部は楕円形のカム１７を備え、２つのローブが１８０°離間し、狭い横断面と広い横断面とを９０°離間して構成する。ピンの胴部７は、カムとピンヘッド９との間にある。ピンヘッドと胴部との間に、フランジ１６があり、このフランジ１６は円周部にそって、変位部（ｄｉｓｐｌａｃｅｒ）とアンダーカット部とからなるクリンチ作用部１５を有する。これら変位部およびアンダーカット部の寸法については、軸線を維持した状態で回転できるように、保持具本体の受け取り開口に対して設定する。ヘッド９は、ピンを回すために使用する任意数の作用部、例えば本実施態様で示すような手動用の刻みノブ１０および／または工具用の駆動部を含む。ノブ以外にも、ｔ−ハンドルピン、フィリップス（ｐｈｉｌｌｉｐｓ）駆動部やスロットも利用することができる。ピンは、冷間鍛造法を利用して製作したピンである。
【００１３】
図１および図２の保持具１３について説明する。保持具の本体部分８が、受け取り開口１８によって中心に設定されるピン１１のヘッド９の下側部の支持体になる。パネル接合時、クリンチ作用部１５を支持するフランジ１６をこの開口に挿入し、クリンチする。保持具は、板金材を切断し、折り畳んで、以下に説明する各種の作業機能を持たせる、板金材の逐次打ち抜き加工によって製作する。
【００１４】
保持具本体８は、実質的に正方形で、一対の対向側縁部１２を備えている。もう一対の対向側部１４を下向きに９０°クリンプした状態で、これら側縁部１２を１８０°折り重ねて、これら側部に孤立したクリアランスを形成する。この構成により、すべて同じ面内にある２枚のパネルのうち第１パネルの上面側と接触する接触面が得られ、図２からよく理解できるように、保持具を安定に支持することができる。
【００１５】
保持具の折り重ね側部１２を構成する材料は、一対の下向きに延長する主壁１９（保持具の各側において一つの主壁）に続いている。主壁それぞれから内向きに対向カムフォローワー２０が突出している。主壁の幅が変わると、カム１７の対向側部においてグリップ作用係合を与える保持具の閉鎖力が変わる。主壁１９が保持具の残りの長さにわたって延長し、次に主壁１９を外向きに、かつ上向きに折り返して、保持脚部２１を形成する。これら脚部２１が、以下に詳しく説明するように、第２パネル（以下取り外し可能なパネルと呼ぶ）を固定する。
【００１６】
図３について説明する。第１パネル３２の正方形開口３１は、内側を向いたタブ３３を有する。第２パネル、即ち取り外し可能なパネル（図３に示していない）の開口は、タブを除けば、第１パネルの開口と外径が同じである。両パネルの開口を位置合わせし、締め具の側部にこれらパネルを挿入することは、各角部において締め具本体から下向きに突出する案内指部３５によって行うことができる。案内指部３５の配置設定は、両パネルの開口の角部に対応して行い、各指部は、各パネルへの挿入時の位置合わせを簡単にするため面取りする。
【００１７】
パネル接合作業では、組み立てた締め具を第１パネル３２に挿入してから、上向き角度で主壁１９から内向きに突出するかかり部３６のスナップ作用によって保持具を受け取る。締め具が第１パネルにスナップ嵌合すると、かかり部３６が外側に曲がり、第１パネルのタブ３３の横方向側縁部３７によって押される。かかり部３６の自由位置が、かかり部３６間にあり、タブよりも幅の狭い間隙を表わすため、取り外し方向とは反対の方向にかかり部３６がタブ周囲を回ることができなくなる。このため、かかり部を外側に曲げて第１パネルのタブをクリアするために使用される工具を使用した場合にだけ、締め具を非破壊的に取り外すことができる。締め具が図示のように緩んだ状態にあり、そしてこの永久に近い方法で第１パネルに取り外し可能に取り付けられている状態にあるため、取り外し可能な第２パネルを接合できる。この緩んだ状態では、カムの狭い側部がフォローワー２０の戻り止め部を占拠し、従って保持具脚部２１が内向きに折り重なったままの状態になり、第２パネルである取り外し可能なパネルの開口に対してクリアランスを確保できる。
【００１８】
図３に示されるように、第１パネルに一旦係合すると、第２パネルである取り外し可能なパネルが第１パネルの背面に位置し、これに固定できる。図４に示すように、２枚のパネルが対面関係で保持されている状態で、ピンをいずれかの方向に９０°回し、取り外し可能なパネル４１を第１パネル３２に同じ面で固着する位置まで、保持脚部２１を外側に動かす。脚部２１を外側に動かすためには、締め具の脚部２１を外側に向けて、かつ取り外し可能なパネル４１の下側に押すカム１７の横方向幅を大きくすればよい。回転時、各主壁１９の内側に向けてバイアスがかけられているバネ力が、対向フォローワー２０のフォーク状端部を締め付け、カムに連続的に係合させる。フォローワー端部のフォーク形状が、カムローブを受け取る戻り止め部を形成する。これら戻り止め部が、ピンの完全に係合され、安定化した位置を示す触覚/聴覚反応を与える。これらの作用効果に加えて、保持具脚部２１の角度の付いた端部４２が取り外し可能なパネル４１の背面に対して曲がるため、上向きにバイアスがかかっているバネ力を発生し、パネルを弾性的に接合する締め付け荷重が発生する。次に、ピンを回すと、締め具を解除でき、換言すれば締め具の係合を外すことができ、従って、締め具から取り外し可能なパネルを分離し、取り外すことができる。
【００１９】
上記説明は、本発明の原理を例示的に示すものである。さらに、当業者ならば多数の変更改変を容易に行うことができるはずであり、従って、本発明を以上説明し、添付図面に示した正確な構成および動作に制限することは望ましくない。従って、考えられるすべての変更改変、等価な構成は、本発明の範囲に含まれる。
【符号の説明】
【００２０】
７：胴部
８：本体部分
９：ヘッド
１０：ノブ
１１：アクチュエーターピン
１２：側縁部
１３：保持具
１４：側部
１５：クリンチ作用部
１６：フランジ
１７：カム
１８：受け取り開口
１９：主壁
２０：カムフォローワー
２１：脚部
３２：第１パネル
４１：第２パネル
【図１】
0005628912.tif 000002
【図２】
0005628912.tif 000003
【図３】
0005628912.tif 000004
【図４】
0005628912.tif 000005